(57)【要約】【課題】検査者が行う通行者の検査を支援する。【解決手段】検査時間決定部４４において、ランダムに発生されたタイミング情報に基づき通行者の検査時間をランダムに決定する。送信形態決定部４６において、決定された検査時間を通知する通知信号の送信形態について、予め定められた複数の送信形態の中からランダムに選択するとともに、前記通知信号と内容が異なる偽信号の送信形態について、前記記憶部に記憶する複数の送信形態の中の前記第１送信形態決定部において選択されていない送信形態から選択する。そして、通信制御部５０が前記検査者に検査時間を通知する通知信号を前記第１送信形態決定部で決定された送信形態にて送信し、前記偽信号を前記第２送信形態決定部で決定された送信形態にて送信することで、検査者が所持する通信端末に、通知信号および偽信号を送信する。【選択図】図２
2014093561.tif 000002
【特許請求の範囲】
【請求項１】
検査者が行う通行者の検査を支援する検査支援システムであって、
ランダムに発生されたタイミング情報に基づき通行者の検査時間をランダムに決定する検査時間決定部と、
前記検査時間決定部において決定された検査時間を通知する通知信号の送信形態について、予め定められた複数の送信形態の中からランダムに選択する第１送信形態決定部と、
前記通知信号と異なる偽信号の送信形態について、前記複数の送信形態の中の前記第１送信形態決定部において選択されていない送信形態から選択する第２送信形態決定部と、
前記検査者に検査時間を通知する通知信号を前記第１送信形態決定部で決定された送信形態にて送信し、前記偽信号を前記第２送信形態決定部で決定された送信形態にて送信する送信制御部と、
を備え、
検査者が所持する通信端末に、通知信号および偽信号を送信することを特徴とする検査支援システム。
【請求項２】
請求項１に記載の検査支援システムであって、
複数の検査者候補についての業務スケジュールと、前記複数の検査者候補とその通信端末とを対応付けた検査者情報とをさらに記憶する記憶部を含み、
前記記憶部を参照し、前記決定された検査時間に特定の業務状態である検査者候補を検査者として決定する検査者決定部をさらに備えることを特徴とする検査支援システム。
【請求項３】
請求項２に記載の検査支援システムであって、
前記検査者決定部は、検査者を前記検査者候補の中から、ランダムに選択して決定することを特徴とする検査支援システム。
【請求項４】
請求項１から３の何れかに1項に記載した検査支援システムであって、
前記通行者の中から検査の対象となる被検査対象者をランダムに選出する被検査対象者決定部と、
前記被検査対象者決定部が決定した前記被検査対象者を少なくとも前記検査者が識別可能に表示する表示部と、
をさらに備えることを特徴とした検査支援システム。
【請求項５】
検査者が行う通行者の検査を支援する検査支援方法であって、
ランダムに発生されたタイミング情報に基づき通行者の検査時間をランダムに決定する検査時間ステップと、
前記検査時間決定部において決定された検査時間を通知する通知信号の送信形態について、複数の送信形態の中からランダムに選択する第１送信形態決定ステップと、
前記通知信号と異なる偽信号の送信形態について、予め定められた送信形態の中の前記第１送信形態決定部において選択されていない送信形態から選択する第２送信形態決定ステップと、
前記検査者に検査時間を通知する通知信号を前記第１送信形態決定部で決定された送信形態にて送信し、前記偽信号を前記第２送信形態決定部で決定された送信形態にて送信する送信ステップと、
を有し、
検査者が所持する通信端末に、通知信号および偽信号を送信することを特徴とする検査支援方法。
【請求項６】
検査者が行う通行者の検査を支援する検査支援プログラムであって、
コンピュータに、
ランダムに発生されたタイミング情報に基づき通行者の検査時間をランダムに決定する検査時間ステップと、
前記検査時間決定部において決定された検査時間を通知する通知信号の送信形態について、複数の送信形態の中からランダムに選択する第１送信形態決定ステップと、
前記通知信号と内容が異なる偽信号の送信形態について、予め定められた送信形態の中の前記第１送信形態決定部において選択されていない送信形態から選択する第２送信形態決定ステップと、
前記検査者に検査時間を通知する通知信号を前記第１送信形態決定部で決定された送信形態にて送信し、前記偽信号を前記第２送信形態決定部で決定された送信形態にて送信する送信ステップと、
を実行させることを特徴とする検査支援プログラム。
【発明の詳細な説明】
【技術分野】
【０００１】
本発明は、検査者による通行者の検査に対する支援に関する。
【背景技術】
【０００２】
従来より、各種施設等の特定の管理区域の入口などにおいて、携帯品や、手荷物などの所持品検査が行われている。この所持品検査は、例えば、通行者に手荷物の内部などを提示させ、検査者が危険物等を携行がないかを検査することで行われる。なお、施設によっては、Ｘ線透視を利用した所持品検査なども行われている。
【０００３】
ここで、所持品検査を全ての通行者に対し実施するには、多大な労力を要する。例えば、施設内で勤務する者全員に対し、勤務時間帯に亘り入口で常時所持品検査を行うことは非効率的である。このため、検査を抜き打ち的に行うことが考えられる。この場合、無作為に検査タイミングを決定し、不定期に所持品検査を実行することが望ましい。
【０００４】
また、不定期に検査を実行する場合、実際に検査を行う検査者への検査指示（通知信号）も外部からはわからないように行うことが望ましい。ここで、検査者が別の場所から検査場所に移動する場合も考えられ、検査指示には無線通信を利用することが好ましい。一方、無線通信などは盗聴される可能性がある。そこで、検査指示の無線通信について、盗聴により外部から検査を行うことが予見されることを防止することも必要になる。
【０００５】
特許文献１には、ダミー信号（偽信号）を利用して、正規の通知信号を識別できにくくする技術について記載がある。
【先行技術文献】
【特許文献】
【０００６】
【特許文献１】特開２０００−１０６５５０号公報
【発明の概要】
【発明が解決しようとする課題】
【０００７】
このように、所持品検査を無作為に任意の時間に検査を行う場合、外部から検査の開始時間を予見困難とすることが望まれる。
【課題を解決するための手段】
【０００８】
本発明は、検査者が行う通行者の検査を支援する検査支援システムであって、ランダムに発生されたタイミング情報に基づき通行者の検査時間をランダムに決定する検査時間決定部と、前記検査時間決定部において決定された検査時間を通知する通知信号の送信形態について、予め定められた複数の送信形態の中からランダムに選択する第１送信形態決定部と、前記通知信号と異なる偽信号の送信形態について、前記複数の送信形態の中の前記第１送信形態決定部において選択されていない送信形態から選択する第２送信形態決定部と、前記検査者に検査時間を通知する通知信号を前記第１送信形態決定部で決定された送信形態にて送信し、前記偽信号を前記第２送信形態決定部で決定された送信形態にて送信する送信制御部と、を備え、検査者が所持する通信端末に、通知信号および偽信号を送信することを特徴とする。
【０００９】
また、複数の検査者候補についての業務スケジュールと、前記複数の検査者候補とその通信端末とを対応付けた検査者情報とをさらに記憶する記憶部を含み、前記記憶部を参照し、前記決定された検査時間に特定の業務状態である検査者候補を検査者として決定する検査者決定部をさらに備えることができる。
【００１０】
また、前記検査者決定部は、検査者を前記検査者候補の中から、ランダムに選択して決定することができる。
【００１１】
また、前記通行者の中から検査の対象となる被検査対象者をランダムに選出する被検査対象者決定部と、前記被検査対象者決定部が決定した前記被検査対象者を少なくとも前記検査者が識別可能に表示する表示部とをさらに備えることができる。
【００１２】
また、本発明は、検査者が行う通行者の検査を支援する検査支援方法であって、ランダムに発生されたタイミング情報に基づき通行者の検査時間をランダムに決定する検査時間ステップと、前記検査時間決定部において決定された検査時間を通知する通知信号の送信形態について、複数の送信形態の中からランダムに選択する第１送信形態決定ステップと、前記通知信号と異なる偽信号の送信形態について、予め定められた送信形態の中の前記第１送信形態決定部において選択されていない送信形態から選択する第２送信形態決定ステップと、前記検査者に検査時間を通知する通知信号を前記第１送信形態決定部で決定された送信形態にて送信し、前記偽信号を前記第２送信形態決定部で決定された送信形態にて送信する送信ステップと、を有し、検査者が所持する通信端末に、通知信号および偽信号を送信することを特徴とする。
【００１３】
また、本発明は、検査者が行う通行者の検査を支援する検査支援プログラムであって、コンピュータに、ランダムに発生されたタイミング情報に基づき通行者の検査時間をランダムに決定する検査時間ステップと、前記検査時間決定部において決定された検査時間を通知する通知信号の送信形態について、複数の送信形態の中からランダムに選択する第１送信形態決定ステップと、前記通知信号と内容が異なる偽信号の送信形態について、予め定められた送信形態の中の前記第１送信形態決定部において選択されていない送信形態から選択する第２送信形態決定ステップと、前記検査者に検査時間を通知する通知信号を前記第１送信形態決定部で決定された送信形態にて送信し、前記偽信号を前記第２送信形態決定部で決定された送信形態にて送信する送信ステップと、を実行させることを特徴とする。
【発明の効果】
【００１４】
本発明によれば、所持品検査を無作為に任意の時間に行う場合、外部から検査の開始時間を予見困難とすることができる。
【図面の簡単な説明】
【００１５】
【図１】所持品検査が行われる場所についてのイメージを示す図である。
【図２】監視センタの構成を示す図である。
【図３】公用携帯の構成を示す図である。
【図４】ゲート装置の構成を示す図である。
【図５】検査支援システムの動作シーケンスを示す図である。
【発明を実施するための形態】
【００１６】
以下、本発明の実施形態について、図面に基づいて説明する。
【００１７】
図１には、所持品検査が行われる場所についてのイメージが描かれている。ビル１０は、その内部が管理区域１２であり、この管理区域１２については各種のものを持ち込み禁止にしている。例えば、管理区域１２内への危険物の持ち込みや、勤務するうえで必要の無い物の持ち込み、さらに、重要書類の機密情報を守る為にデジタルカメラなどの撮影用機器などの持ち込みを禁止する場合がある。
【００１８】
所持品検査は、管理区域１２の入口となるゲート１４の付近で、ゲート１４の近くにいる警備員２０などによって行われる。通常は、ゲート１４の通行者２２に対し、ランダムに被検査対象者が決定され、この対象者がゲートを通行したときに、図４に示すゲート装置８０の表示部８１に被検査対象者である旨が表示される。そして、警備員２０は被検査対象者にテーブルの上に所持品を出してもらい所持品検査を行う。検査には、金属探知機などを利用する場合もある。また、所持品検査の際には、通行者２２の本人情報の確認なども行われる。
【００１９】
ここで、コンピュータや各種監視機器からの映像を映し出すディスプレイなどを有する監視センタ３０がビル１０内または外部に設けられており、管理区域１２の状況の確認の他、各警備員２０の勤務スケジュール、勤務状況（ステータス）などを管理している。また、各種の異常通報などは、監視センタ３０に供給され、監視センタ３０が、対応可能な警備員２０に連絡して対処させる。また、異常対処後のレポートを含め、各警備員の勤務のレポートについても監視センタ３０が管理するとよい。本実施形態では、監視センタ３０とゲート装置８０を別の装置として説明するが、これに限定されず、監視センタ３０とゲート装置８０を同一のコンピュータにて構成してもよい。
【００２０】
各警備員２０は、通常、会社貸与の携帯電話など通信装置（以下、公用携帯と呼ぶ）を所持しており、この公用携帯は監視センタ３０と、通信ネットワーク３２を介し接続される。通信装置として、通常は、公衆電話回線を利用する、携帯電話機が使用されるが、トランシーバや、ＷｉＦｉ通信機器等でもかまわない。
【００２１】
そして、本実施形態では、所持品検査の開始時間（検査タイミング）をランダムに発生させて決定する。また、検査開始指示の通知信号について、偽信号であるダミーの通知信号（ダミー信号）を含めることで、検査開始指示についての信号を盗聴した場合にも、盗聴者において正しい内容を判断することを困難にする。
【００２２】
＜監視センタ３０の構成＞
監視センタ３０の構成例について図２に示す。監視センタ３０は、コンピュータを含み、このコンピュータは、ＣＰＵ等の演算手段、ＲＯＭ、ＲＡＭ等の内部記憶手段、ハードディスク、不揮発性メモリなどの外部記憶手段、キーボード等の入力手段、ディスプレイ、プリンタなどの出力手段を有すると共に、外部との送受信を行う通信制御部４０を有している。この通信制御部４０は、図１における通信ネットワーク３２に接続されると共に、インターネットやイントラネットに接続され、これらを介する通信を可能とする。なお、通信制御部４０は送信制御部として機能する。
【００２３】
そして、記憶部５２に記憶される各種アプリケーションプログラムの中の検査支援プログラムを実行することによって、検査支援のための処理を実行する。
【００２４】
監視センタ３０は、乱数発生部４２を有し、ここにおいて乱数を発生する。乱数発生部４２は、物理乱数発生部であってもよいし、比較的簡易な数式などを利用して乱数を発生するものでもよい。また、外部からの信号によって乱数を発生しても、外部からの乱数を取り入れて出力するものでもよい。すなわち、外部からみてランダムな値を発生できればどのような構成でもよい。
【００２５】
乱数発生部４２において発生された乱数は、検査時間決定部４４に供給される。検査時間決定部４４は、供給される乱数に従って、検査時間（検査開始時間）を決定する。例えば、検査開始時間は、１５分おきなどの予め定められた時間の中の１つを選択することで、決定される。検査継続時間は、通行者の数などの検査状況に応じて検査者が適宜決定してもよいし、予め、数分、１５分、３０分などの時間と定めておいてもよい。さらに、検査する人数を限定してもよい。
【００２６】
検査時間決定部４４は、例えば、１つの検査場所（ゲート）について、検査時間を決定する。検査頻度は、１日数回（例えば３回）、１週間に数回（例えば３回）、１月に数回（例えば３回）などを予め記憶部５２に記憶しておき、その中から、発生乱数を３で除算した余りに応じて、１つを選択することなどで決定することができる。また、ゲート１４を通行可能な時間範囲の中で、各検査開始時間を、所定時間毎（例えば１５分刻み）で決定する。
【００２７】
例えば、１日３回が選択された場合、１日の中でゲート１４を通行可能な時間を複数に分割し、１回目の検査をする時間をこの複数の分割時間の中から特定する。そして、順次次の検査時間として、この分割時間の中の１つを選択することで、１日の中の各検査開始時間が決定できる。１週間に３回、１ヶ月に３回なども、同様の手法で、検査開始時間を決定することができる。
【００２８】
もちろん、３回は一例であり、１回でも、２回でも、４回以上でもよい。また、ランダムな選択は、無作為の選択であれば、どのような手法を利用してもよい。
【００２９】
さらに、検査場所に応じて、検査頻度を予め決定したり、検査場所において被検査対象者が通行する例えば出勤時間を考慮して、出勤時間のみを対象としてもよい。このような、検査時間についての条件などを示す信号は、予め管理者によって入力され記憶部５２に記憶される。
【００３０】
なお、所定の期間の間に行われる複数の検査時間を予め発生させて記憶しておいてもよいが、次回の検査時間を常に１回だけ発生させて記憶するようにしてもよい。この場合、現在の時間に対し、検査を開始するために必要な準備時間だけ猶予を鑑みた時間を検査時間として発生させることが好ましい。換言すれば、検査時間決定部４４は、現在時刻について所定の準備時間以上未来の時間を検査開始時間として決定する。
【００３１】
また、乱数発生部４２からの乱数は送信形態決定部４６にも供給され、送信形態決定部４６は、検査時間決定部４４において決定された検査開始時間を警備員に知らせる通知信号の送信形態を、予め定められた複数の送信形態の中からランダムに選択して決定する。なお、送信形態決定部４６は、通知信号の送信形態を決定する第１送信形態決定部と、ダミー信号の送信形態を決定する第２送信形態決定部とからなっている。
【００３２】
送信形態としては、公用携帯に設定された第１のメールアドレス、同じく第２のメールアドレス、ＳＭＳ（ショートメッセージサービス）など通知信号を送る際の送信先アドレスを異ならせるといった形態や、Ｗｅｂメール、ＶＰＮ接続によるメール、電話等の送信経路を異ならせるといった形態が挙げられる。また、アドレスについては、送信元アドレス、宛先アドレス、ＣＣアドレスとも、複数選択可能であり、これらの組み合わせによって、送信形態を特定してもよい。ここで、各種電子メール、ＳＭＳは、公用携帯において受信の通知や、内容の表示が簡単かつ確実に行えるため、好適である。
【００３３】
通知信号は、「＊＊ゲート（検査場所）で、＊時＊分より、所持品検査を行う」などを内容とするとよい。ダミーの通知信号（ダミー信号）には、同じような文章で、検査場所、時間などが異なった記載とするとよい。ダミー信号は送信形態決定部４６にて決定された通知信号の送信形態以外の送信形態が選択される。また、検査時間決定部４４において、ダミー信号についての検査時間も検査信号と同様にしてランダムに発生するとよい。
【００３４】
検査時間決定部４４において決定された検査時間と、送信形態決定部４６で決定された送信形態の情報が信号生成部４８に供給され、ここで選択された送信形態の正規通知信号と、選択されなかった送信形態のダミー信号が作成される。
【００３５】
このようにして作成された正規の通知信号、およびダミー信号は、通信制御部４０に送られ、ここから送信される。通常は、公衆電話回線を通じて、公用携帯に送信される。ここで正規の通知信号は、検査時間決定部４４において決定された検査開始時間に対して所定の準備時間前に送信される。例えば、次回の検査開始時間が午前８時４５分であれば、準備時間として１５分の猶予を設定し、通信制御部４０から検査を行う警備員の公用携帯に午前８時３０分に正規の通知信号が送信されることとなる。
【００３６】
なお、ダミー信号の送信回数は、正規の通知信号より多くても、少なくても、同一でもよいが、ダミー信号の方が多いことが好適である。また、所定の期間の正規の通知信号とダミー信号をまとめて、定期的に送信してもよい。例えば、３時間分の実施時間を示す正規の通知信号およびダミー信号をまとめて、送信してもよい。
【００３７】
また、検査の実施が決定された場合、即ち正規の通知信号が公用携帯に送信された場合、信号生成部４８は乱数発生部４２によりゲート通行者の中から被検査対象者を決定するための少なくとも１桁の数字を含む乱数を複数個発生させて被検査対象者信号として通信制御部４０からゲート装置８０に送信する。
【００３８】
＜警備員の選択＞
ここで、本実施形態において、監視センタ３０においては、複数の管理区域１２、複数のゲート１４、複数の警備員２０の管理を行う。そこで、検査場所の住所、ゲート１４の位置、警備員２０を特定するデータ、警備員２０の所持する公用携帯のアドレスなど監視に必要な各種のデータを記憶部５２に記憶している。
【００３９】
特に、本実施形態における所持品検査の場合、特定の時間を定めて、警備員２０を対象となるゲート１４に派遣する必要がある。そこで、記憶部５２には、各警備員２０のスケジュールを記憶している。
【００４０】
各警備員については、例えば１月単位で基本的な勤務計画（シフト）が定められており、これが記憶されている。勤務には、「巡回（対象区域を巡回して各種点検などを行う）」、「立哨（しょう）（一定の場所に立って警備に当たる）」、「待機（警備本部等において、事務作業を行う）」などがある。また、勤務には、異常発生時における「異常対処」もあるが、この異常対処には、待機中の警備員２０が対応するのが一般的である。さらに、記憶部５２には、各警備員２０について、何時〜何時は何を行うなどの勤務計画のタイムテーブルが記憶されている。なお、警備員２０の勤務計画に変更が生じた場合、速やかに承認された変更計画が記憶部５２に記憶される。したがって、記憶される勤務計画は常に最新のものである。
【００４１】
また、監視センタ３０では、出退勤についてタイムレコーダなどからのデータを利用して記録し、またシフト通りの勤務を行っているかなど、現時点での勤務状況（ステータス）、所在位置などについても適宜把握している。また、出勤時には、警備員２０に公用携帯を貸与して、これを登録する。これは備え付けの入力端末を利用して行えば良い、例えば、警備員２０のＩＤカード、公用携帯と、備え付けの入力端末の間の無線通信などで行えば良い。これによって、警備員２０とその警備員２０が所持する公用携帯の関連づけが行われ、この内容について当該警備員のデータとして記憶される。なお、公用携帯には、例えばＧＰＳなど位置検出機能があり、これに基づいて監視センタ３０に現在位置を適宜送信することで警備員２０（公用携帯）の位置が常に監視センタ３０において認識されている。なお、ＧＰＳではなく、基地局側で公用携帯の電波発信位置を特定して、これに基づき監視センタ３０が公用携帯の位置を把握してもよい。
【００４２】
本実施形態における所持品検査は、その検査時間がランダムに決定されるため、予め決定した勤務計画には入っていない。そこで、監視センタ３０の信号生成部４８では、検査開始時刻の所定時間前において、発生された検査時間（開始時間）と、その検査時間における警備員２０の勤務状況、現在位置を考慮して、特定のゲート１４の所持品検査を担当する警備員２０を特定し、その警備員２０に正規の通知信号を送信する。本実施形態では、決定された検査時間に勤務状況が「待機」または「巡回」と予定されており、尚且つ現在位置とゲート１４との距離が所定距離以内となる警備員２０が所持品検査を担当する警備員２０として特定される。
【００４３】
このとき、信号生成部４８は、勤務状況および現在位置に基づいて所持品検査を担当可能な警備員２０の候補が多数抽出されると、乱数発生部４２による乱数を用いて、抽出した警備員２０の中から１又は複数の警備員２０をランダムに選択するとよい。ランダムな選択については、上述したような手法が採用できる。
【００４４】
このように、所持品検査を行う警備員（検査者）は監視センタ３０の記憶部５２に記憶されているデータなどを参照して決定する。従って、監視センタ３０が検査者決定部として機能する。
【００４５】
＜送信形態の同期＞
ここで、本実施形態においては、送信形態決定部４６において、正規の通知信号についての送信形態をランダムに決定し、決定された送信形態で、選択された警備員２０の公用携帯に正規の通知信号が送られるが、これとは別の送信形態でダミー信号も送られる。従って、警備員２０の公用携帯において、どれが正規の通知信号かを特定しなければならない。例えば、正規の通知信号を送信するのと同時またはその前にどの送信形態が正規なものであるかを示す信号を送るとよい。どの送信形態が正規なものであるかを示す信号を通知信号に含めるのは好ましくなく、別の送信信号とすることが好ましい。
【００４６】
ここで、テキストで、公用携帯の使用者である警備員２０に向けてどの送信形態が正しいかを知らせるのでは、ダミー、正規の別を警備員２０が判断を誤る可能性が高い。そこで、通信装置の表示部に表示されるのが正規の通知信号に限定され、ダミー信号は表示されない方が好ましい。このために、公用携帯に予め判定用のアプリケーションをインストールしておき、正規、ダミーの別を判断させるとよい。
【００４７】
公用携帯は、出勤時に警備員２０に手渡されるものであり、その際に警備員２０と公用携帯の関連づけを行う。そこで、公用携帯に、送信形態決定部４６において予め決定された正規の通知信号の送信形態に関する情報を事前に受信して例えば時間毎にどの送信形態が正規通知信号であるかといった判定情報を記録しておき、正規の通知信号を判定するアプリケーションをインストールしておき、そのアプリケーションが正規、ダミーの別を判定してダミーの通知信号の表示を禁止するよう表示を制御すればよい。また、アプリケーションにおいて、通知信号と異なる受信メールなどについてはダミー信号と同じ送信形態であったとしても表示を禁止しないようにする。このとき、通知信号であるか否かは送信元のアドレスや本文或いは件名といったメッセージの内容から判断すればよい。
【００４８】
このように、警備員２０の公用携帯は、その時々において正規の通知信号の送信形態について判定ができる。送信形態は、信号のヘッダを解析することなどで判定できるため、アプリケーションは、受信した信号のヘッダなどの情報を解析し、正規の通知信号の送信形態である場合にのみ表示を行い、ダミーの場合には表示を行わないようにすればよい。例えば、ＳＭＳ、メール（複数の宛先アドレス）の別をメールのヘッダから識別し、正規かダミーかを判定する。また、その他のメールなどがダミーと判定されることを防止するために、送信元アドレスが特定のものの場合にダミー信号と判定して、表示を行わないようにしてもよい。
【００４９】
さらに、アプリケーションは、通信文の内容や、送信元アドレス、他の宛先アドレス、ＣＣアドレスなども考慮し、この組み合わせで正規、ダミーの判定を行ってもよい。
【００５０】
正規、ダミーの判定に必要な判定情報（例えば時間毎にどの送信形態が正規通知信号であるか）については、公用携帯を、インターネットを介し、監視センタ３０の所定のＷｅｂページに接続し、そのページ上でユーザＩＤや、パスワードを利用して、監視センタ３０と直接接続し、監視センタ３０の送信形態決定部４６が決定した最新の判定情報を、ＳＳＬを利用したデータ通信などで、送ってもよい。また、これに限らず、公用携帯のアプリケーションが定期的にインターネットを介して監視センタ３０に最新の判定情報についての問合せ信号を送信し、公用携帯が記憶している判定情報より新しいものがあれば監視センタ３０から受信するようにしてもよい。さらに、別の方法として、監視センタ３０において送信形態決定部４６が配信情報を決定する度に、公用携帯にプッシュ型配信を行って配信情報を通知するようにしてもよい。
【００５１】
ただし、管理上からは、手続はできるだけ単純で、わかりやすい手法が望ましい。そこで、手渡す前に、今日は、公用携帯にダミーはＳＭＳと、メール（宛先アドレス１）などと登録しておき、メール（宛先アドレス２）の情報を正規として表示するようにするなどの方法や、ダミー信号のＣＣアドレスの組み合わせを登録しておき、その際のＣＣアドレスの組み合わせから、ダミー信号を判定し、表示しないようにするなど、の手法がよいと考えられる。なお、監視センタ３０からは、例えば１時間に１通以上のダミーの通知信号を送るようにして、正規の指示が発生したときのみに正規の通知信号を送信するとよい。ダミーの通知信号の送信タイミングは乱数発生部４２に基づいてランダムに決定されてよい。
【００５２】
＜公用携帯の構成＞
図３は、公用携帯の構成を示している。通信制御部６０は、アンテナなどを利用して、外部との無線通信を行う。処理部６２は、メール送受信、通話などの各種制御を行う。処理部６２には、メール処理部６２ａ、ＳＭＳ処理部６２ｂ、通信形態選択部６２ｃが設けられ、メール処理部６２ａにおいてメールの送受信処理、ＳＭＳ処理部６２ｂにおいてＳＭＳの送受信処理、通信形態選択部６２ｃにおいて指示についての受信信号の正規、ダミーの判定が行われる。処理部６２には、記憶部６４が接続されており、ここに各種のデータや、アプリケーションが記憶される。通信形態選択部６２ｃは、ここに記憶されているアプリケーションを実行して、受信メールの正規、ダミーを判定する。処理部６２には、ディスプレイ６６が接続されており、上述したメールの内容がここに表示される。入力部６８は、各種データを入力するためのものであり、必要な場合パスワード入力などが行われる。
【００５３】
＜ゲート装置の構成＞
ゲート装置８０は、管理区域１２の入口となるゲート１４に設けられた通行管理装置である。図４に示すように、ゲート装置８０は、ＬＥＤやＬＣＤで構成されて通行者が所持品検査の対象者であるか否かを周囲に報知する表示部８１と、ゲート１４の通行者をカウントする計数部８２と、予め記憶した通行許可情報を用いて通行者を認証する認証部８３と、通信ネットワーク３２を介して外部と通信を行う通信制御部８４と、処理部８５と、操作スイッチなどの操作部８６を備える。
【００５４】
計数部８２は、ゲート１４を通行者２２が通行する毎に通行者２２の数を計数する手段である。計数部８２は、例えば、通行者２２の進行方向と直行する方向に赤外線を投受光してその赤外線が遮断した数から通行者２２を計数してよく、これに限らず一人だけ通行できるスペースが設けられた回転式のゲート遮断部材を通行者２２が押し退けて通行するような機械式の通行者計数手段であってもよい。
【００５５】
認証部８３は、予めゲート装置８０について登録された通行者２２の識別情報を通行時に照合して通行可否を認証する手段である。通行が許可されない場合はゲートの遮断やアラーム出力などが行われる。通行者２２の識別情報は例えばＩＤカードであり、この場合に認証部８３はカード読取手段と登録された識別情報の記憶手段と照合手段とを備えて構成される。またこれに限らず、通行者２２の識別情報として顔画像などの生体情報を利用してよく、この場合にはカメラなど生体情報取得手段と登録された識別情報の記憶手段と照合手段とを備えて認証部８３が構成される。
【００５６】
表示部８１は、ゲートの通行者２２に対して所持品検査を行うか否かを判定してその結果を表示する手段である。表示部８１の表示は、通行者２２の何れが所持品検査の対象となる被検査対象者であるかを、少なくとも検査者である警備員２０が識別可能となるように表示される。図１では、表示部８１がゲート１４の直上にあるランプとして示されており、この場合にはゲート１４を通った通行者２２が被検査対象者と判定されるとランプが点灯するよう構成される。表示部８１の表示は警備員２０だけでなく警備員２０及び通行者２２の双方から把握可能であってよい。
【００５７】
本実施形態において、ゲート装置８０は、監視センタ３０から被検査対象者信号として複数個の乱数データを受信して記憶している。ゲート装置８０の処理部８５は、警備員２０により操作部８６が操作されると所持品検査の開始を判定して、通行者２２の計数を開始し、この計数結果が被検査対象者信号として受信した乱数に合致したときに表示部８１に当該通行者２２が所持品検査の対象であることを表示する。警備員２０は、この表示を参照して選出された通行者２２の所持品を点検する。このように、ゲート装置８０の処理部８５は、通行者２２の中から所持品検査の対象となる被検査対象者を乱数に基づきランダムに選出する。従って、ゲート装置８０の処理部８５が被検査対象者決定部として機能する。
また、警備員２０により再度操作部８６が操作されると所持品検査の終了を判定して表示部８１と計数部８２の処理を終了する。
【００５８】
なお、本実施形態ではゲート装置８０が監視センタ３０から被検査対象者信号として複数個の乱数データを受信する例について説明したが、これに限らずゲート装置８０に乱数発生部を備えて、所持品検査が開始された後に通行者２２がゲート１４を通行する毎に当該通行者２２の所持品検査を行うか否かランダムに判定するようにしてもよい。
【００５９】
＜実施形態の動作＞
以上に説明した本実施形態の検査支援システムについて、図５を用いながらその動作について説明する。図５は、本実施形態の検査支援システムの動作シーケンスを示す図である。
【００６０】
監視センタ３０では、乱数発生部４２が順次新たな乱数を発生させている（Ｓ１）。検査時間決定部４４は、１日のなかでゲート１４を通行可能な時間帯を所定の時間単位（例えば１５分）ごとに分割して、この分割時間の中から上述した乱数を用いて所持品検査を行う時間帯を決定し、検査開始時間を決定する（Ｓ２）。
【００６１】
また、送信形態決定部４６は、乱数発生部４２の乱数を用いて（Ｓ３）、決定された検査開始時間を警備員２０に知らせるための正規の通知信号の送信形態を時間帯毎にランダムに決定する（Ｓ４）。送信形態決定部４６が決定した、時間毎にどの送信形態が正規通知信号であるかといった情報は、判定情報として監視センタ３０に保持される。
【００６２】
信号生成部４８は、決定された検査開始時間における各警備員２０の勤務状況、現在位置を考慮して、検査時間に勤務状況が「待機」または「巡回」と予定されており、尚且つ現在位置とゲート１４との距離が所定距離以内となる警備員２０を抽出して特定する。このとき、複数の警備員２０が抽出された場合には、乱数発生部４２の乱数を用いて（Ｓ５）、必要人数の警備員２０を特定する（Ｓ６）。信号生成部４８は、特定された警備員２０の公用携帯を送信先として送信形態決定部４６にて決定された送信形態により正規の通知信号を生成する。また、信号生成部は、送信形態決定部４６にて決定された送信形態以外の送信形態によりダミーの通知信号を生成する（Ｓ７）。
【００６３】
監視センタ３０は、このように、検査開始時間と、正規の通知信号の送信形態と、送信先の警備員２０をランダムに決定して記憶している。このとき、警備員２０が所持する公用携帯から送信形態決定部４６が決定した最新の判定情報の要求があると（Ｓ８）、保持している判定情報を公用携帯に送信して（Ｓ９）、監視センタ３０と公用携帯との間で判定情報の同期を図る（Ｓ１０）。
【００６４】
監視センタ３０からは、不定期なタイミングでダミーの通知信号が公用携帯に宛てて送信されている（Ｓ１１）。このダミーの通知信号の送信先は全ての警備員２０の公用携帯の中から任意に選定されてよい。ダミー信号を受信した公用携帯では、これがダミー信号であることが判定され、受信に伴う表示は行われないこととなる（Ｓ１２）。
【００６５】
検査時間決定部４４が決定した検査開始時間から所定の準備時間（例えば１５分）前になると（Ｓ１３）、通信制御部４０は、信号生成部４８により特定の警備員２０の公用携帯を送信先として生成されていた正規の通知信号を通信ネットワークを介して送信する（Ｓ１４）。正規の通知信号を受信した公用携帯では、これが正規の通知信号であることが判定されて表示される（Ｓ１５）。この公用携帯を所持する警備員２０は、表示された情報を参照して検査開始時間にゲート１４まで移動する。
【００６６】
このとき、信号生成部４８は乱数発生部４２により少なくとも１桁の数字を含む乱数を複数個発生させて（Ｓ１６）、被検査対象者信号として通信制御部４０からゲート装置８０に送信する（Ｓ１７）。ゲート装置８０は被検査対象者信号を記憶する（Ｓ１８）。そして、検査開始時間となり所持品検査を行うべくゲート１４まで来た警備員２０によりゲート装置８０の操作部８６が操作されると、計数部８２が通行者２２のカウントを開始する（Ｓ１９）。通行者２２のカウントが被検査対象者信号として受信した乱数と合致していれば、表示部８１に所持品検査の対象者であることが表示され（Ｓ２０）、当該通行者２２について警備員２０による検査が行われる。
【００６７】
時間が経過して予め設定された所持品検査の検査時間が終了すると、警備員により再度ゲート装置８０の操作部８６が操作され、表示部８１と計数部８２の処理が終了する（Ｓ２１）。
【００６８】
＜実施形態の効果＞
通行検査（所持品検査）の時間の指示信号の形態を、ランダムに設定することで、盗聴などの不正行為による検査開始の予見を困難とすることができる。また、その検査の実施時間をランダムに設定し、さらに検査を実施する検査者をその時間帯に対応可能な者の中からランダムに選択することでさらに事前の予測を困難とすることができる。
【符号の説明】
【００６９】
１０  ビル、１２  管理区域、１４  ゲート、２０  警備員、２２  通行者、３０  監視センタ、３２  通信ネットワーク、４０  通信制御部、４２  乱数発生部、４４  検査時間決定部、４６  送信形態決定部、４８  信号生成部、５２  記憶部、６０  通信制御部、６２  処理部、６２ａ  メール処理部、６２ｂ  ＳＭＳ処理部、６２ｃ  通信形態選択部、６４  記憶部、６６  ディスプレイ、６８  入力部、８０  ゲート装置、８１  表示部  ８２  計数部、８３  認証部、８４  通信制御部、８５  処理部、８６  操作部。
【図１】
2014093561.tif 000003
【図２】
2014093561.tif 000004
【図３】
2014093561.tif 000005
【図４】
2014093561.tif 000006
【図５】
2014093561.tif 000007